(57)【特許請求の範囲】
【請求項１】
流し台のシンクの排水口の直下に設置して生ごみを粉砕し、これを水とともに排水管に流すよう構成されており、
シンクに備わった水栓への給水流路の途中に分岐流路を設け、この分岐流路の途中に給水用の電磁弁を設け、この給水用の電磁弁とディスポーザを同時に制御するための操作パネルを有する制御部を備え、更に、前記操作パネルを前記水栓または前記水栓に近接する位置に設け、しかも、粉砕する生ごみを流す水を前記排水口から導入するために前記分岐流路に連通したディスポーザ用の吐水管を設けるとともに、
前記操作パネルは、操作ボタンと表示ランプを有し、前記表示ランプは、手動モードで動作中であることを示すランプと、全自動モードで動作中であることを示すランプを含むディスポーザシステムであって、
前記手動モードでは、前記操作ボタンを一回押すと前記給水用の電磁弁が開いて前記給水流路と前記分岐流路が連通し、前記ディスポーザ用の吐水管から吐水し、この水がシンクの排水口を通ってディスポーザに流れ始め、ディスポーザが作動して生ごみを粉砕し、これを水とともに排水トラップを介して排水管に流す動作が続けられ、その後、再度前記操作ボタンを押すとディスポーザの作動が止まり、前記給水用の電磁弁が閉じる動作が行われる一方、
前記全自動モードでは、前記制御部に設けたタイマー機能によってディスポーザのオン時間と前記給水用の電磁弁の開状態の時間は予め設定されており、所定時間以内に前記操作ボタンを複数回押すと、前記ディスポーザ用の吐水管から吐水する動作が続けられ、その後、ディスポーザが作動するとともに、前記タイマー機能による設定時間だけディスポーザは作動し、その後ディスポーザの作動が止まり、前記給水用の電磁弁が閉じる動作が行われることを特徴とするディスポーザシステム。
【発明の詳細な説明】
【０００１】
【発明の属する技術分野】
この発明は、シンクの排水口の直下に設置して生ごみを粉砕し、これを水とともに排水管に流すディスポーザシステムに関するものである。
【０００２】
【従来の技術および発明が解決しようとする課題】
従来この種のディスポーザシステムにおいては、使用にあたり、シンクに備わった水栓を開ける操作とディスポーザを作動させる操作を別操作しなければならず手間がかかる上、水栓を開くのを忘れる事態もたびたび発生していた。
【０００３】
この発明は、使用にあたり、シンクに備わった水栓の開閉動作とディスポーザの作動オン・オフ動作を一つの操作で容易にできるディスポーザシステムを提供することを目的とする。
【０００４】
【課題を解決するための手段】
上記目的を達成するために、この発明は、流し台のシンクの排水口の直下に設置して生ごみを粉砕し、これを水とともに排水管に流すよう構成されており、
シンクに備わった水栓への給水流路の途中に分岐流路を設け、この分岐流路の途中に給水用の電磁弁を設け、この給水用の電磁弁とディスポーザを同時に制御するための操作パネルを有する制御部を備え、更に、前記操作パネルを前記水栓または前記水栓に近接する位置に設け、しかも、粉砕する生ごみを流す水を前記排水口から導入するために前記分岐流路に連通したディスポーザ用の吐水管を設けるとともに、
前記操作パネルは、操作ボタンと表示ランプを有し、前記表示ランプは、手動モードで動作中であることを示すランプと、全自動モードで動作中であることを示すランプを含むディスポーザシステムであって、
前記手動モードでは、前記操作ボタンを一回押すと前記給水用の電磁弁が開いて前記給水流路と前記分岐流路が連通し、前記ディスポーザ用の吐水管から吐水し、この水がシンクの排水口を通ってディスポーザに流れ始め、ディスポーザが作動して生ごみを粉砕し、これを水とともに排水トラップを介して排水管に流す動作が続けられ、その後、再度前記操作ボタンを押すとディスポーザの作動が止まり、前記給水用の電磁弁が閉じる動作が行われる一方、
前記全自動モードでは、前記制御部に設けたタイマー機能によってディスポーザのオン時間と前記給水用の電磁弁の開状態の時間は予め設定されており、所定時間以内に前記操作ボタンを複数回押すと、前記ディスポーザ用の吐水管から吐水する動作が続けられ、その後、ディスポーザが作動するとともに、前記タイマー機能による設定時間だけディスポーザは作動し、その後ディスポーザの作動が止まり、前記給水用の電磁弁が閉じる動作が行われることを特徴としている。
【０００５】
この場合、前記水栓は、その吐水管とは別に前記ディスポーザ用の吐水管を有し、このディスポーザ用の吐水管は、前記吐水管の直下の位置にあるのが好ましい。
【０００６】
【発明の実施の形態】
以下にこの発明の実施の形態について説明する。なお、この発明はそれによって限定されるものではない。
【０００７】
図１は、流し台のシンクに備わった水栓への給水流路の途中に分岐流路を設け、この分岐流路の途中にバルブを設け、このバルブとディスポーザを同時に制御するための操作パネルを前記水栓の右側面部に設けるとともに、粉砕する生ごみを流す水をシンクの排水口から導入するために前記水栓の下部に吐水管を設けたこの発明の第１の実施形態を示す。
【０００８】
図１において、１は、流し台のシンクである。このシンク１の排水口（図示せず）の直下には、生ごみを粉砕し、これを水とともに排水管に流すディスポーザ２が設置されている。３は、シンク１に備わった湯水混合栓で、吐水管４とは別にディスポーザ用の吐水管４４を有する。このディスポーザ用の吐水管４４は、吐水管４の直下の位置にある。
【０００９】
５は、湯水混合栓３への給湯流路を形成する給湯管で、止水栓６を介して給湯配管に連通している。７は、湯水混合栓３への給水流路を形成する給水管で、止水栓８を介して給水配管に連通している。
【００１０】
９は、給水管７の途中から分岐した分岐流路を形成する分岐管で、前記ディスポーザ用の吐水管４４に連通している。この分岐管９は、途中に給水用の電磁弁を有する。１０は、その電磁弁を収容する電磁弁ボックスである。
【００１１】
１１は、前記給水用の電磁弁の開閉とディスポーザ２の作動オン・オフ操作を同時に制御する制御部である。この制御部１１は、タイマー機能を有する。１２は、その操作パネルである。
【００１２】
この操作パネル１２は、操作ボタン１３と一対の表示ランプ１４，１５と異常表示ランプ（図示せず）を有し、湯水混合栓３に一体的に設けてある。表示ランプ１４は、例えば後述する手動モードで動作中であることを示すランプで、表示ランプ１５は、例えば後述する全自動モードで動作中であることを示すランプである。
【００１３】
そして、止水栓８が開いた状態で、シンク１の排水口からディスポーザ２に生ごみを入れた後、例えば、この操作ボタン１３を一回押すと前記給水用の電磁弁が開いて前記給水流路と前記分岐流路が連通し、前記ディスポーザ用の吐水管４４から吐水し、この水がシンク１の排水口を通ってディスポーザ２に流れ始め、しばらくしてディスポーザ２が作動して生ごみを粉砕し、これを水とともに排水トラップ１６を介して排水管（図示せず）に流す。この動作は、次に操作ボタン１３が押されるまで続く。例えば、操作ボタン１３を一回押してから２分後に操作ボタン１３を押すとディスポーザ２の作動が止まり、しばらくして前記給水用の電磁弁が閉じる。つまり、操作ボタン１３を一回押して動作が開始される場合は、操作者によって動作時間が任意に設定される（以下、手動モードという）。
【００１４】
これとは別に動作開始にあたり、例えば２秒以内に操作ボタン１３を二回押すと、まず前記ディスポーザ用の吐水管４４から吐水し、しばらくしてディスポーザ２が作動する。この場合、前記タイマー機能によってディスポーザ２のオン時間と前記給水用の電磁弁の開状態の時間は予め設定されている。つまり、前記タイマー機能が働いてディスポーザ２は例えば１分間だけ作動し、１分たつとディスポーザ２の作動が止まり、しばらくして前記給水用の電磁弁が閉じる（以下、全自動モードという）。
【００１５】
この実施形態では、前記給水用の電磁弁を開く動作と前記ディスポーザ用の吐水管４４から吐水する動作を一つの操作ボタン１３で行うように構成したので、水を流さないままディスポーザ２を作動させるといった事態を回避でき、粉砕した生ごみを確実に水とともに排水管に流すことができる。
【００１６】
また、操作パネル１２を湯水混合栓３に設けたので、湯水混合栓３以外に設ける場合に比して施工の労力を軽減できる。
【００１７】
なお、この発明では、図１において、操作パネル１２を湯水混合栓３に近接する位置に設けてもよい。
【００１８】
図２は、流し台のシンク１に備わった水栓３が設置されるシンク１の取付け面部２０に水栓取り付けのための貫通穴２１とは異なる貫通穴２２を設け、この貫通穴２２に分岐流路に連通する吐水管５４を設けたこの発明の第２の実施形態を示す。なお、図２において、図１に示した符号と同一のものは、同一または相当物である。
【００１９】
この場合、分岐管９に接続された吐水管５４は、取付け面部２０の湯水混合栓３に近接する位置に設けられている。
【００２０】
なお、この発明では、図２において、操作パネル１２を湯水混合栓３に近接する位置に設けてもよい。
【００２１】
図３は、粉砕する生ごみを流す水をシンク１の排水口から導入するのではなく、分岐管９を直接ディスポーザ２に接続した参考例を示す。なお、図３において、図１、図２に示した符号と同一のものは、同一または相当物である。
【００２２】
この場合、前記給水用の電磁弁から直接ディスポーザ２に給水する一方、操作パネル１２を湯水混合栓３に一体的に設けてある。
【００２３】
【発明の効果】
以上説明したようにこの発明では、シンクに備わった水栓の開閉動作とディスポーザの作動オン・オフ動作を一つの操作で容易にできるディスポーザシステムを提供できる効果がある。
【図面の簡単な説明】
【図１】  この発明の第１の実施形態を示す図である。
【図２】  この発明の第２の実施形態を示す図である。
【図３】  参考例を示す図である。
【符号の説明】
１…シンク、２…ディスポーザ、３…湯水混合栓、４…湯水混合栓の吐水管、７…給水管、９…分岐管、１０…給水用の電磁弁を収容する電磁弁ボックス、１１…制御部、１２…操作パネル、１３…操作ボタン、１４，１５…表示ランプ、１６…排水トラップ１６、４４，５４…ディスポーザ用の吐水管。
【図１】
0004520603.tif 000002
【図２】
0004520603.tif 000003
【図３】
0004520603.tif 000004